(57)【要約】【課題】吸収体が膨張しても肌に対するフィット性の低下を抑えることを可能とした吸収性物品を提供する。【解決手段】前後方向に伸縮する透湿性伸縮シートで構成されたバックシート１７と、バックシート１７よりも着用者の肌側に位置する液透過性のトップシート１９と、トップシート１９とバックシート１７との間に位置する吸収体１８とを備える。バックシート１７は、幅方向において、吸収体１８が存在する第１領域２２Ａと、第１領域２２Ａの両側において吸収体１８からはみ出した第２領域２２Ｂとを備え、第２領域２２Ｂの第２伸縮力は、第１領域２２Ａの第１伸縮力よりも２倍ないし３倍大きい。バックシート１７の透湿度は、２，０００ないし１５，０００ｇ／ｍ２２４ｈｒ（ＪＩＳ  Ｚ−２０８）である。【選択図】図２
2019201691.tif 000002
【特許請求の範囲】
【請求項１】
吸収性物品の少なくとも前後方向に伸縮する透湿性伸縮シートで構成されたバックシートと、
前記バックシートよりも着用者の肌側に位置する液透過性のトップシートと、
前記トップシートと前記バックシートとの間に位置する吸収体と
を備える吸収性物品。
【請求項２】
前記バックシートの透湿度は、２，０００ないし１５，０００ｇ／ｍ２２４ｈｒ（ＪＩＳ  Ｚ−２０８）である
請求項１に記載の吸収性物品。
【請求項３】
前記バックシートは、前記前後方向に対して交差する幅方向において、前記吸収体が存在する第１領域と、前記第１領域の両側において前記吸収体からはみ出した位置の第２領域とを備え、
前記第２領域の前記前後方向における第２伸縮力は、前記第１領域の前記前後方向における第１伸縮力よりも大きい
請求項１または２に記載の吸収性物品。
【請求項４】
前記第２領域の前記前後方向における第２伸縮力は、前記第１領域の前記前後方向における第１伸縮力に対して２倍ないし３倍である
請求項３に記載の吸収性物品。
【請求項５】
前記バックシートに対して前記肌側とは反対側に位置し、前記第１領域および前記第２領域と重なるカバーシートをさらに備え、
前記カバーシートは、前記前後方向に対して交差する幅方向において、前記幅方向の中心線の方向に折り返され前記第２領域に延在する折返部を備えていない
請求項３または４に記載の吸収性物品。
【請求項６】
前記着用者の腹部を覆う前身頃と、前記着用者の背部を覆う後身頃とをさらに備え、
前記バックシートと前記トップシートと前記吸収体とは、前記前身頃と前記後身頃との間の股下部を構成する吸収性本体であり、
前記第２領域は、レグギャザーを構成する
請求項３ないし５のうち何れか１項に記載の吸収性物品。
【請求項７】
前記第１領域および前記第２領域は、別々のシート要素であり、
前記バックシートは、前記第１領域を構成する第１シート要素と前記第２領域を構成する第２シート要素とを接合して構成されている
請求項３に記載の吸収性物品。
【発明の詳細な説明】
【技術分野】
【０００１】
本発明は、着用者の肌とは反対側に位置するバックシートを備えた吸収性物品に関する。
【背景技術】
【０００２】
吸収性物品として使い捨ておむつや尿パッドなどが知られている。これらの吸収性物品は、通常、液不透過性のバックシートと、液透過性のトップシートと、トップシートとバックシートの間に配置された吸収体とから構成されている。そして、着用時における吸収体は、トップシートを介して排泄物である尿などの液体を保持するとともに、バックシートは、吸収性物品の外部に液体が漏出することを抑えている。なお、吸収性物品では、長手方向が前後方向であって、前後方向に対して交差する方向が幅方向である。そして、このような吸収性物品は、シートで糸状の弾性部材と、弾性部材を挟み込むシートとで構成されたギャザーが胴周りや脚回りに設けられている（特許文献１参照）。
【先行技術文献】
【特許文献】
【０００３】
【特許文献１】特開２０１８−０２３７６０号公報
【発明の概要】
【発明が解決しようとする課題】
【０００４】
ところで、吸収体は、排泄物などの水分を吸収すると、フラッフパルプ、高吸収性ポリマーが膨張し体積が増加する。したがって、吸収性物品は、吸収体が膨張することで、肌に対するフィット性が悪化してしまうおそれがある。
【０００５】
本発明は、吸収体が膨張しても肌に対するフィット性の低下を抑えることを可能とした吸収性物品を提供することを目的とする。
【課題を解決するための手段】
【０００６】
上記課題を解決するための吸収性物品は、吸収性物品の少なくとも前後方向に伸縮する透湿性伸縮シートで構成されたバックシートと、前記バックシートよりも着用者の肌側に位置する液透過性のトップシートと、前記トップシートと前記バックシートとの間に位置する吸収体とを備える。
【０００７】
上記構成によれば、バックシートに透湿性伸縮シートを用いているので、吸収体が膨張しても、それに合わせてバックシートが伸張する。したがって、吸収体が膨張した後であっても、肌に対するフィット性が低下することを抑えることができる。
【０００８】
上記吸収性物品において、前記バックシートの透湿度は、２，０００ないし１５，０００ｇ／ｍ２２４ｈｒ（ＪＩＳ  Ｚ−２０８）であることが好ましい。上記構成によれば、着用者と吸収性物品との間における蒸れなどを抑えることができる。
【０００９】
上記吸収性物品において、前記バックシートは、前記前後方向に対して交差する幅方向において、前記吸収体が存在する第１領域と、前記第１領域の両側において前記吸収体からはみ出した位置の第２領域とを備え、前記第２領域の前記前後方向における第２伸縮力は、前記第１領域の前記前後方向における第１伸縮力よりも大きいことが好ましい。上記構成によれば、第２領域でレグギャザーを構成することができる。
【００１０】
上記吸収性物品において、前記第２領域の前記前後方向における第２伸縮力は、前記第１領域の前記前後方向における第１伸縮力に対して２倍ないし３倍であることが好ましい。上記構成によれば、第２領域の前記前後方向における第２伸縮力が従来レグギャザーに用いられていた弾性部材の伸縮力と同程度とすることができる。これにより、第２領域の部分をレグギャザーとしてしっかりと立ち上がらせることができる。
【００１１】
上記吸収性物品において、前記バックシートに対して前記肌側とは反対側に位置し、前記第１領域および前記第２領域と重なるカバーシートをさらに備え、前記カバーシートは、前記前後方向に対して交差する幅方向において、前記幅方向の中心線の方向に折り返され前記第２領域に延在する折返部を備えていないことが好ましい。上記構成によれば、従来のようにカバーシートを折り返して弾性部材を挟み込み固定する構成が不要となる。したがって、生産効率を向上することができる。
【００１２】
上記吸収性物品において、前記着用者の腹部を覆う前身頃と、前記着用者の背部を覆う後身頃とをさらに備え、前記バックシートと前記トップシートと前記吸収体とは、前記前身頃と前記後身頃との間の股下部を構成する吸収性本体であり、前記第２領域は、レグギャザーを構成することが好ましい。上記構成によれば、レグギャザーを備えたおむつを構成することができる。
【００１３】
上記吸収性物品において、前記第１領域および前記第２領域は、別々のシート要素であり、前記バックシートは、前記第１領域を構成する第１シート要素と前記第２領域を構成する第２シート要素とを接合して構成されている。上記構成によれば、バックシートにおいて、第１伸縮力を有する第１領域と第２伸縮力を有する第２領域を容易に構成することができる。
【発明の効果】
【００１４】
本発明によれば、吸収体が膨張しても肌に対するフィット性の低下を抑えることを可能とした吸収性物品を提供することができる。
【図面の簡単な説明】
【００１５】
【図１】本発明の吸収性物品を具体化したパンツ型使い捨ておむつの斜視図。
【図２】本発明の吸収性物品を具体化したパンツ型使い捨ておむつの分解斜視図。
【図３】吸収性本体の平面図。
【図４】（ａ）は、吸収性本体の断面図、（ｂ）は、バックシートを第３シート要素と第４シート要素で構成した変形例を示す断面図、（ｃ）は、バックシートを１枚のシート要素で構成した変形例を示す断面図。
【図５】従来の吸収性本体の断面図。
【発明を実施するための形態】
【００１６】
図１ないし図５を参照して本発明における吸収性物品を具体化した一実施形態におけるパンツ型使い捨ておむつについて説明する。
図１に示すように、パンツ型使い捨ておむつ１０（以下、単に「おむつ１０」という。）は、着用者の腹部形状に追従する形状を有する前身頃１０Ｆと、着用者の背部形状に追従する形状を有する後身頃１０Ｒと、前身頃１０Ｆおよび後身頃１０Ｒを繋ぐ股下部１０Ｃとを備える。
【００１７】
前身頃１０Ｆおよび後身頃１０Ｒにおいて、股下部１０Ｃと反対側は、着用者の胴周りの部分を取り囲む胴周り部１０Ｗを構成し、上端に、胴周り開口部１０Ａを備えている。また、前身頃１０Ｆにおける左右両端部、後身頃１０Ｒにおける左右両端部、および、股下部１０Ｃにおける左右両端部とは、着用者の太股部分を取り囲む形状を有した左右一対の脚周り開口部１０Ｌを構成している。また、前身頃１０Ｆと後身頃１０Ｒの胴周り方向の左右両端部は、接合部１１となっている。
【００１８】
図２は、パンツ型使い捨ておむつの分解斜視図である。前身頃１０Ｆは、第１外装体１２Ｆで構成され、後身頃１０Ｒは、第２外装体１２Ｒで構成されている。以下、単に、第１外装体１２Ｆと第２外装体１２Ｒとをまとめて外装体１２ともいう。
【００１９】
外装体１２は、胴周り方向を長手方向とした矩形形状を有しており、外装体１２を構成するシート１３Ｓ，１３Ｂの間に弾性部材１５が挟まれて構成されている。外装体を構成するシート１３Ｓ，１３Ｂは、一例として、ポリエチレン、ポリプロピレン、ポリエステル、その他の熱可塑性樹脂を原料とした合成繊維からなる不織布であり、また、透液性シート、不透液性シートであってもよい。弾性部材１５は、天然ゴム、合成ゴム、ウレタンなどから選ばれる１つ以上の材料により形成された弾性体であり、糸状、紐状、ネット状、平型形状に形成されている。弾性部材１５は、複数本が互いに平行に、胴周り方向に沿って配置されている。
【００２０】
第１外装体１２Ｆと第２外装体１２Ｒとは、股下部１０Ｃを構成する吸収性本体１６で連結される。図３に示すように、吸収性本体１６は、前後方向を長手方向とした矩形形状を有している。吸収性本体１６は、基本的には不透過性であるバックシート１７と、吸収体１８と、液透過性を有したトップシート１９とを備えている。おむつ１０において、トップシート１９は、着用者の肌と接する内側に配置され、バックシート１７は、外側に配置され、外側から、バックシート１７、吸収体１８、トップシート１９の順に重なっている。さらに、バックシート１７の外側には、手触り感を向上させるために、不織布で構成されたカバーシート１７Ａが配置されている（図２参照）。吸収性本体１６の前後方向における外装体１２と重なる領域の外面が外装体１２の裏側のシート１３Ｂと接着される被接着部となる。
【００２１】
バックシート１７には、おむつ１０の外表面に液体が漏出することを抑えるため液不透過性でありながらも、着用者とおむつ１０との間における蒸れなどを抑えるため通気性を有するシート要素が選択されている。さらに、ここでは、バックシート１７に、透湿性と少なくとも前後方向に伸縮性を備えた透湿性伸縮シートが用いられている。一例として、透湿性伸縮シートは、軟質であり、方向性を問わず伸縮性を保有したまま水分は樹脂内を移動し、また樹脂内の水分の放出を容易とする樹脂組成物である。このような透湿性伸縮シートは、ポリウレタン樹脂に相溶性のない樹脂や無機微粒子をブレンドした後にロールまたは流延法などによりフィルムとし、これを延伸することによりフィルム中に多数の微細孔を形成して構成することができる。または、ポリウレタン樹脂エマルジョンの湿式凝固によりフィルムとしたり、または発泡剤を配合して発泡によりフィルム中に多数の微細孔を形成して構成されている。または、押出成形法により形成されている。なお、バックシート１７は、少なくとも前後方向に伸縮性を有する構成であればよく、方向性を問わず伸縮性を有する構成の他、前後方向にのみ伸縮性を有する構成、あるいは前後方向及び幅方向の両方向に伸縮性を有する構成であってもよい。
【００２２】
または、透湿性伸縮シートは、ポリウレタン樹脂６５〜８５重量％程度、ポリエチレン樹脂３０〜１５重量％程度、またはこれに相溶化剤２０重量％以下を配合した樹脂組成物である。そして、ポリウレタン樹脂及びポリエチレン樹脂の配合比は、必要とする軟質性、伸縮性、透湿性に応じて選択される。また、透湿性伸縮シートの透湿度は、２，０００ないし１５，０００ｇ／ｍ２２４ｈｒ（ＪＩＳ  Ｚ−２０８）である。
【００２３】
従来のバックシート１７Ｘ（図５参照）が液不透過性を有したポリエチレン樹脂製のフィルムに対して通気性を確保するため微細孔を多数形成して構成されているが、本実施形態のバックシート１７は、特に伸縮性を備えている点で、従来のバックシートと相違している。
【００２４】
以上のようなバックシート１７は、前後方向において、吸収体１８より長く、幅方向も、吸収体１８より長い。すなわち、バックシート１７は、防水シートとして機能させるために吸収体１８の全体を被覆するように配置されている。そして、バックシート１７の幅方向は、レグギャザー２３の位置まで延在している。
【００２５】
吸収体１８は、前身頃１０Ｆ、股下部１０Ｃ、および、後身頃１０Ｒに跨るように帯形状を有している。吸収体１８を形成する材料は、例えば、フラッフパルプ、高吸収性ポリマー（ＳＡＰ：Superabsorbent polymer）、親水性シートなどの吸収性材料である。そして、吸収体１８は、一例として、親水性シートで構成されるコアラップ１８Ａ（図４（ａ）参照）によって包まれ、さらに、トップシート１９側にティッシュ１８Ｂ（図４（ａ）参照）が配置され、バックシート１７とトップシート１９との間に配置され接合される。吸収体１８は、排泄物などの水分を吸収すると膨張するが、おむつ１０は、バックシート１７が吸収体１８の膨張に合わせて伸張することで、肌に対するフィット性が損なわれることが抑えられる。
【００２６】
トップシート１９は、例えば、織布、不織布、多孔性フィルムなどで形成されている。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。カバーシート１７Ａは、最外のシートであり、使用者に触れるシートであるため、手触り感を向上させる不織布などで構成されている。
【００２７】
吸収性本体１６の内面、すなわちトップシート１９上には、前後方向に沿う両端部に立体ギャザー２１が配置されている。各立体ギャザー２１は、吸収性本体１６の前後方向に延在する第１弾性部材２１Ｅと、第１弾性部材２１Ｅを挟み込むサイドシート２１Ｓとを備えている。第１弾性部材２１Ｅは、複数本が互いに平行な状態で、かつ、ホットメルト接着剤が塗布され伸長された状態でサイドシート２１Ｓに対して配置され、サイドシート２１Ｓが二つ折りされることで、サイドシート２１Ｓによって挟み込まれる。第１弾性部材２１Ｅは、弾性部材１５と同様な材料で構成されている。サイドシート２１Ｓは、例えば、液不透過性を有した不織布などを含んだ前後方向に延びる長尺のシート体で構成されている。
【００２８】
第１弾性部材２１Ｅを挟み込んだサイドシート２１Ｓは、先端部が吸収性本体１６の左右方向両端部から左右方向の中心線Ｐ方向に向かって延びるように配置され、基端部２１Ｂが接着剤によってトップシート１９やバックシート１７の第２領域２２Ｂやカバーシート１７Ａの少なくとも何れか１つのシートに対して接着されている。さらに、サイドシート２１Ｓは、基端部２１Ｂにおける幅方向の中心線Ｐ側の縁部を折返部２１Ｔとして、折返部２１Ｔから先端部２１Ｐまでが吸収性本体１６の幅方向両端部を向くように折り返されている。立体ギャザー２１は、前後方向の端部において、接着剤や溶着によって固定された固定領域２１Ａを備えており、固定領域２１Ａと固定されていない領域の境界がトップシート１９に対して立ち上がる立ち上がり線Ｌ１となる。バックシート１７は、立ち上がり線Ｌ１よりも幅方向における外側にまで延在する。
【００２９】
また、吸収性本体１６の側縁部は、レグギャザー２３を備えている。レグギャザー２３は、バックシート１７の幅方向における前後方向に延びる第２領域２２Ｂが弾性部として機能し、弾性部の前後方向における収縮によって立ち上がる。図４（ａ）に示すように、カバーシート１７Ａは、一例として、幅方向の中心線Ｐの方向に折り返され第２領域２２Ｂに延在する折返部を備えていない。これに対して、従来のおむつは、バックシート１７Ｘが伸縮性を有していないため、第２弾性部材２３Ａをカバーシート１７Ａで挟み込んでレグギャザー２３を構成している。したがって、カバーシート１７Ａの折曲部１７Ｂを備えている（図５参照）。勿論、第２領域２２Ｂを備えている場合であっても、カバーシート１７Ａの第２領域２２Ｂに延在する折曲部を備える構成とすることもできる。これにより、第２領域２２Ｂがカバーシート１７Ａで挟まれることで、肌触りを向上させたり、レグギャザー２３の強度を高めることができる。
【００３０】
ここで、バックシート１７と吸収体１８と立体ギャザー２１とレグギャザー２３との関係について説明する。バックシート１７は、その幅方向の長さＷ１が吸収性本体１６の側縁部、トップシート１９および／またはカバーシート１７Ａの側縁まで延在するようになっている。バックシート１７は、幅方向において、吸収体１８が存在する領域、具体的にはトップシート１９が重なる領域を含む領域が第１領域２２Ａであり、吸収体１８からはみ出した部分の領域、具体的にはトップシート１９が重なる領域よりも幅方向外側の領域が第２領域２２Ｂである。そして、第２領域２２Ｂがレグギャザー２３の弾性部となる領域である。
【００３１】
バックシート１７は、全体として、方向性を問わず、伸縮性を有している。すなわち、第１領域２２Ａおよび第２領域２２Ｂは、前後方向だけでなく、幅方向においても伸縮する性質を有している。そして、バックシート１７の第１領域２２Ａは、前後方向における第１伸縮力を有することで、吸収体１８が排泄物などの水分を吸収して膨張しても、膨張に合わせて伸張し、おむつ１０のフィット感が損なわれることを抑えている。第２領域２２Ｂは、第１領域２２Ａの前後方向における第１伸縮力よりも大きい前後方向における第２伸縮力を有している。
【００３２】
詳しく説明すると、バックシート１７は、１つの第１領域２２Ａを構成する第１シート要素２４Ａと、２つの第２領域２２Ｂを構成する第２シート要素２４Ｂとで構成できる。この場合、第１シート要素２４Ａは、第１領域２２Ａと同じ大きさと形状を有し、第１伸縮力を有した透湿性伸縮シートである。各第２シート要素２４Ｂは、第２領域２２Ｂと同じ大きさと形状を有し、第２伸縮力を有した透湿性伸縮シートである。第１シート要素２４Ａの前後方向に延びる各側縁部に対しては、第２シート要素２４Ｂの前後方向に延びる一方の側縁部を重ね、接着剤や溶着によって接合される（図４（ａ）参照）。なお、第１シート要素２４Ａと第２シート要素２４Ｂとは、同じ素材であってもよいし、異なる素材であってもよい。以上のように構成されたバックシート１７において、前後方向における伸縮力は、第１領域２２Ａよりも第２領域２２Ｂの方が大きく、第１領域２２Ａは、低弾性伸縮領域であり、第２領域２２Ｂは、高弾性伸縮領域である。
【００３３】
例えば、第２領域２２Ｂの前後方向における第２伸縮力は、第１領域２２Ａの前後方向における第１伸縮力よりも２倍以上高くなっていることが好ましい。ここで、例えば第１シート要素２４Ａと第２シート要素２４Ｂが同じ素材の場合、第２領域２２Ｂの第２伸縮力は、第１領域２２Ａを構成する第１伸縮力の第１シート要素２４Ａを２倍ないし３倍の長さに伸長し、伸長した第２シート要素２４Ｂを第１シート要素２４Ａに接合して実現することができる。
【００３４】
第２伸縮力が第１伸縮力に対して２倍よりも小さいと、レグギャザー２３がしっかりと立ち上がらなくなるからである。また、第２領域２２Ｂの前後方向における第２伸縮力は、第１領域２２Ａの前後方向における第１伸縮力に対して３倍以下であることが好ましい。第２伸縮力が第１伸縮力に対して３倍より大きくなると、レグギャザー２３の部分が丸め込まれてしまい、レグギャザー２３としての機能が低下するからである。このように、第２領域２２Ｂは、第２領域２２Ｂの前後方向における第２伸縮力が第１領域２２Ａの前後方向における第１伸縮力から３倍とすることで、レグギャザー２３の弾性部材として機能し、レグギャザー２３をしっかりと立ち上がらせることができる。
【００３５】
バックシート１７において、幅方向における第１領域２２Ａと第２領域２２Ｂとの境界は、立体ギャザー２１が立ち上がる立ち上がり線Ｌ１の位置である。これにより、脚回りのギャザーは、立体ギャザー２１とレグギャザー２３との二重構造となり、脚回りからの漏れを抑えることができる。
【００３６】
以上、上記実施形態によれば以下に列挙する作用効果を得ることができる。
（１）吸収性本体１６において、バックシート１７に透湿性伸縮シートを用いているので、吸収体１８が膨張しても、それに合わせてバックシート１７が伸張する。したがって、おむつ１０は、吸収体１８が膨張した後であっても、肌に対するフィット性が低下することを抑えることができる。
【００３７】
（２）バックシート１７の透湿度は、２，０００ないし１５，０００ｇ／ｍ２２４ｈｒ（ＪＩＳ  Ｚ−２０８）である。これにより、着用者とおむつ１０との間における蒸れなどを抑えることができる。
【００３８】
（３）バックシート１７は、透湿性伸縮シートを用い、前後方向における第１伸縮力を有する第１領域２２Ａと前後方向における第２伸縮力を有する第２領域２２Ｂとを備え、第２領域２２Ｂでレグギャザー２３を立ち上げるようにしている。従来は、図５に示すように、レグギャザーに第２弾性部材２３Ａを用いていたが、この第２弾性部材２３Ａをバックシート１７の第２領域２２Ｂに代えることができる。したがって、おむつ１０は、部品点数の削減を実現でき、さらに、生産効率を向上できる。
【００３９】
（４）また、バックシート１７は、第１領域２２Ａを第１シート要素２４Ａで構成するとともに、第２領域２２Ｂを第２シート要素２４Ｂで構成することによって、各領域の伸縮力を所望の伸縮力に容易に設定することができる。
【００４０】
（５）第２領域２２Ｂの前後方向における第２伸縮力は、第１領域２２Ａの前後方向における伸縮力に対して２倍ないし３倍である。この第２伸縮力は、従来レグギャザー２３に用いられていた第２弾性部材２３Ａの伸縮力と同程度である。これにより、レグギャザー２３をしっかりと立ち上がらせることができる。
【００４１】
（６）レグギャザー２３は、カバーシート１７Ａを折り返して第２弾性部材２３Ａを挟み込み固定する構成が不要となる。したがって、この点でも、おむつ１０は生産効率を向上することができる。
【００４２】
なお、上記実施形態は以下のように適宜変更して実施することもできる。
・バックシート１７は、第１領域２２Ａと第２領域２２Ｂとを合わせた大きさの１枚の第３シート要素２４Ｃと、第１領域２２Ａに相当する大きさの１枚の第４シート要素２４Ｄとで構成することもできる。この場合、第３シート要素２４Ｃは、第２伸縮力を有した透湿性伸縮シートである。また、第４シート要素２４Ｄは、第１伸縮力を有した透湿性伸縮シートである。第４シート要素２４Ｄは、第３シート要素２４Ｃの第１領域２２Ａに相当する部分に重ね、接着剤や溶着によって接合される（図４（ｂ）参照）。なお、第３シート要素２４Ｃと第４シート要素２４Ｄとは、同じ素材であってもよいし、異なる素材であってもよい。このようなバックシート１７によれば、２つのシート要素２４Ｃ，２４Ｄだけで構成することができる。
【００４３】
・また、バックシート１７は、第１領域２２Ａと第２領域２２Ｂとを合わせた大きさの１枚のシート要素２４Ｅで構成することもできる。シート要素２４Ｅは、透湿性伸縮シートで構成される（図４（ｃ）参照）。この場合、全体が第１伸縮力の透湿性伸縮シートに対して、第２領域２２Ｂをギヤ延伸などの加工によって幅方向に傷をつけることにより前後方向が第１領域２２Ａより伸縮するように構成することができる。このようなバックシートは、１枚のシート要素２４Ｅで構成されることになり、構成を簡素化できる。
【００４４】
・バックシート１７の透湿度は、２，０００ないし１５，０００ｇ／ｍ２２４ｈｒ（ＪＩＳ  Ｚ−２０８）に限定されるものではない。例えば、他の手段でおむつ１０と着用者との間の湿気などを排出するのであれば、バックシート１７の透湿度は、２，０００ｇ／ｍ２２４ｈｒより小さくてもよい。また、他の手段でおむつ１０と着用者との間の湿気などを排出する機能が乏しい場合、バックシート１７の透湿度は、１５，０００ｇ／ｍ２２４ｈｒより大きくてもよい。
【００４５】
・バックシート１７の透湿性伸縮シートにおいて、第２領域２２Ｂの前後方向における第２伸縮力は、第１領域２２Ａの前後方向における第１伸縮力よりも大きければよく、第１領域２２Ａの前後方向における第１伸縮力に対して２倍ないし３倍でなくてもよい。例えば、レグギャザー２３は、第２領域２２Ｂに加えて第２弾性部材２３Ａを追加する構成としてもよい。すなわち、第２領域２２Ｂの前後方向における弾性は、第２弾性部材２３Ａを補助するためのものであってもよい。また、第２領域２２Ｂの前後方向における弾性は、第２弾性部材２３Ａによって補助される程度のものであってもよい。第２弾性部材２３Ａが必要となる場合は、第２弾性部材２３Ａを挟み込み固定する折曲部１７Ｂが必要となる。
【００４６】
・おむつ１０としては、立体ギャザー２１を備えず、レグギャザー２３だけの構成としてもよい。
・おむつ１０において、バックシート１７としての透湿性伸縮シートは、吸収体１８が膨張したときに、吸収体１８の膨張に合わせて伸張するように、少なくとも吸収体１８の全体を被覆する大きさであればよい。
【００４７】
・使い捨ておむつとしては、テープ型のおむつであってもよい。また、乳幼児用又は介護を必要とする高齢者や障害者等の成人用の使い捨ておむつであってもよい。さらに、吸収性物品としては、その他、尿パッド、軽失禁パッド、生理用ナプキンなどであってもよい。
【符号の説明】
【００４８】
Ｐ…中心線、Ｌ１…立ち上がり線、Ｗ１…長さ、１０Ａ…胴周り開口部、１０Ｃ…股下部、１０Ｆ…前身頃、１０Ｌ…脚周り開口部、１０Ｒ…後身頃、１０Ｗ…胴周り部、１１…接合部、１２…外装体、１２Ｆ…第１外装体、１２Ｒ…第２外装体、１３Ｂ…シート、１３Ｓ…シート、１５…弾性部材、１６…吸収性本体、１７…バックシート、１７Ａ…カバーシート、１７Ｂ…折曲部、１７Ｘ…バックシート、１８…吸収体、１８Ａ…コアラップ、１８Ｂ…ティッシュ、１９…トップシート、２１…立体ギャザー、２１Ａ…固定領域、２１Ｂ…基端部、２１Ｅ…第１弾性部材、２１Ｐ…先端部、２１Ｓ…サイドシート、２１Ｔ…折返部、２２Ａ…第１領域、２２Ｂ…第２領域、２３…レグギャザー、２３Ａ…第２弾性部材、２４Ａ…第１シート要素、２４Ｂ…第２シート要素、２４Ｃ…第３シート要素、２４Ｄ…第４シート要素、２４Ｅ…シート要素。
【図１】
2019201691.tif 000003
【図２】
2019201691.tif 000004
【図３】
2019201691.tif 000005
【図４】
2019201691.tif 000006
【図５】
2019201691.tif 000007